(57)【特許請求の範囲】
【請求項１】
バスタブとその下方に設置したタブ防水パンとからの排水を行う浴室ユニットの排水構造において、
バスタブからの排水とタブ防水パンからの排水とを行うタブ用排水孔とパン用排水孔とが形成された逆流防止本体部と、
この逆流防止本体部の下面に取付けられタブ用排水孔とパン用排水孔とを交互に閉じることができ常時はタブ用排水孔を閉じておく閉塞板とを備え、
前記閉塞板は中間部で折り曲げられ、この折曲部が本体部の下面に揺動可能に支持されたことを特徴とする浴室ユニットの排水構造。
【請求項２】
前記閉塞板はその折曲部から一方の部分が他方の部分よりも重く形成されたことを特徴とする請求項１に記載の浴室ユニットの排水構造。
【請求項３】
前記閉塞板の折曲部で２分された重い側の一方の部分がパン用排水孔の閉塞部となり、バスタブからの排水圧力がかからない状態においては軽い側の他方の部分のタブ用排水孔の閉塞部がタブ用排水孔を閉じておくようにしたことを特徴とする請求項２に記載の浴室ユニットの排水構造。
【請求項４】
前記パン用排水孔は複数の開口部から構成してあることを特徴とする請求項１ないし３のいずれか１項に記載の浴室ユニットの排水構造。
【請求項５】
洗い場の排水部にトラップを設け、このトラップにタブ防水パンの排水開口に設けたエルボからの排水を導入し、エルボの受け入れ口に請求項１ないし３のいずれか１項に記載の閉塞板を備えた逆流防止本体部を取付けたことを特徴とする浴室ユニットの排水構造。
【発明の詳細な説明】
【０００１】
【発明の属する技術分野】
この発明は、バスタブの下方にタブ防水パンを配設した構造の２重パン方式と呼ばれる浴室ユニットの排水構造に関する。
【０００２】
【従来の技術】
この種の排水構造としては、図７及び図８に示すように、バスタブ１の下方にタブ防水パン２を配設し、タブ防水パン２の排水開口３にエルボ４を接続し、このエルボ４に導管５を接続し、この導管５をトラップ６に接続してある。このトラップ６は洗い場７の排水部８に設けてある。また、バスタブ１の排水開口９にタブ用エルボ１０を接続し、このエルボ１０にホース１１を接続し、このホース１１にエルボ１２を接続してある。前記エルボ４はＬ字状の筒形をなし、その受け入れ口すなわち上部内周面に雌ねじ１００を形成し、この雌ねじ１００にフランジ１０１の雄ねじ１０２がねじ込まれる。このフランジ１０１をエルボ４にねじ込むとタブ防水パン２の排水開口３の周囲部分３Ａがエルボ４とフランジ１０１の外縁で挟まれる。前記エルボ１２にはパイプ１０３を接続し、このパイプ１０３の下端はフランジ１０１の孔１０１Ａに挿入され、パイプ１０３の内径よりもこの孔１０１Ａの径の方が大きく形成されている。また、パイプ１０３の中間部には外方に張り出してフランジ１０１に嵌合する張出板１０４が形成され、この張出板１０４にタブ防水パン２に溜まった水を排出する孔１０４Ａが形成されている。パイプ１０３の張出板１０４の下方にはパイプ１０３に緩く嵌め込まれたフロート１０５が設けられ、エルボ４内の水が孔１０１Ａからフランジ１０１内に流れ込むと、このフロート１０５が浮き上がって孔１０４Ａを塞ぐようになっている。
【０００３】
【発明が解決しようとする課題】
上述したフロート１０５の替りに可動弁を用いたものも知られているが、いずれもバスタブ内への逆流防止策は施されていなかった。例えば、洗い場からの大量排水時にバスタブの清掃後に止水栓を外した状態では、洗い場を清掃した汚れた水がバスタブ内に逆流し、バスタブを汚してしまうことがあった。
【０００４】
そこで、この発明は、洗い場からの大量排水時にバスタブ内へ逆流せず、バスタブからの大量排水時にタブ防水パンへ逆流しないようにした浴室ユニットの排水構造を提供することを目的とする。
【０００５】
【課題を解決するための手段】
上述の目的を達成するため、この発明は、バスタブとその下方に設置したタブ防水パンとからの排水を行う浴室ユニットの排水構造において、バスタブからの排水とタブ防水パンからの排水とを行うタブ用排水孔とパン用排水孔とが形成された逆流防止本体部と、この逆流防止本体部の下面に取付けられタブ用排水孔とパン用排水孔とを交互に閉じることができ常時はタブ用排水孔を閉じておく閉塞板とを備え、前記閉塞板は中間部で折り曲げられ、この折曲部が本体部の下面に揺動可能に支持されたものである。
【０００６】
【発明の実施の形態】
以下に、この発明の好適な実施例を図面を参照にして説明する。
【０００７】
図１に示す実施例では、従来と同様にバスタブ１（図７参照）とその下方に設置したタブ防水パン２とからの排水を行うため、バスタブ１からの排水とタブ防水パン２からの排水とを行うタブ用排水孔２１とパン用排水孔２２とが形成された短い円筒状の逆流防止本体部２０をタブ防水パン２の排水開口３の個所に設けてある。この逆流防止本体部２０の下面には閉塞板３０を取付けてある。この閉塞板３０の中間部の折曲部３１が、本体部２０の下面のタブ用排水孔２１とパン用排水孔２２との間に揺動可能に支持されている。折曲部３１から閉塞板３０の一方の部分が他方の部分よりも重く形成され、この重い部分がパン用排水孔２２の閉塞部３０Ａとなり、バスタブ１からの排水圧力がかからない状態においては軽い部分のタブ用排水孔２１の閉塞部３０Ｂがタブ用排水孔２１を閉じておくようになっている。前記排水開口３の下側にはエルボ４を接続し、このエルボ４の上部内周面に雌ねじ１００を形成し、この雌ねじ１００にフランジ１０１の雄ねじ１０２がねじ込まれるようになっている。このフランジ１０１をエルボ４にねじ込むことによりタブ防水パン２の排水開口３の周囲部分３Ａがエルボ４とフランジ１０１の外縁４Ａ，１０１Ｂで挟まれる。この周囲部分３Ａが挟まれる個所にはパッキン３Ｂを設けこの個所からの水漏れを防止するようになっている。そして、この円筒状のフランジ１０１に逆流防止本体部２０が嵌め込まれる。この本体部２０の外周にはシール用パッキン２３が設けられ、フランジ１０１の内周面に圧接する。フランジ１０１の底には孔１０１Ａが形成されていることは従来と同様である。この孔１０１Ａの外周は内縁１０１Ｃを形成し、嵌め込まれた本体部２０を受ける。タブ用排水孔２１には、従来と同様にバスタブ１の排水開口にタブ用エルボ１０やホース１１を介してバスタブ１からの排水が導かれるようになっている（図７参照）。
【０００８】
前記エルボ４はトラップ６を形成する部分まで一体成形され、このトラップ６の個所には封水筒４０を設けてある。この封水筒４０は洗い場７の排水部８の個所に設けてある。この排水部８の個所もフランジ２０１をトラップ６の上部開口内周面にねじ込み、洗い場７の排水部８の外周縁を挟み込んである（フランジ１０１と同様の構成としてある）。図１において符号Ｍは封水面を示す。なお、エルボ４とトラップ６とを一体に成形せず、別々に成形し、両者をパイプなどで接続してもよい。
【０００９】
図２は逆流防止本体部２０の平面図を示し、タブ用排水孔２１とパン用排水孔２２との位置を図１に示すものとは左右逆にした状態を示している。タブ用排水孔２１は１つの円孔からなり、パン用排水孔２２は複数の開口部から構成してあり、図示する例では中央に長方形状の開口部を形成し、その上下に半円形の開口部を設け、各開口部との間には仕切りがある。この仕切りがあるために大きなゴミの排出を防止できる。閉塞板３０はヒンジ３２でその折曲部３１を揺動可能に支持している。この閉塞板３０の閉塞部３０Ａ，３０Ｂのいずれにも水圧が加わらない状態においては、図３に示すように閉塞部３０Ａが閉塞部３０Ｂよりも重量を重く形成してあるために、折曲部３１を支点としてシーソーのように重い方が下がって閉塞部３０Ｂが上昇してタブ用排水孔２１を塞いでいる。
【００１０】
図４及び図５は閉塞板３０の作動を示す簡略断面であり、図４においては、パン用排水孔２２からタブ防水パン２の排水がトラップ６側に流れ込む状態を示し、図５においては、バスタブ１からの排水を行う状態を示す。図５においては閉塞部３０Ｂがバスタブからの水圧により押し下げられて閉塞部３０Ａがパン用排水孔２２を塞いだ状態を示す。バスタブ１内の水を排出する場合に、パン用排水孔２２にかかる水圧よりタブ用排水孔２１にかかる水圧の方が高いので、タブ用排水孔２１が開き、バスタブ１の水の排出が終わると閉塞部３０Ａが閉塞部３０Ｂよりも重いために閉塞部３０Ｂが上昇してタブ用排水孔２１を閉じ、パン用排水孔２２を開ける。
【００１１】
図６は、逆流防止本体部２０の他の例を示す平面図であり、図２に示すものと比べて、パン用排水孔２２の開口部の形状を変えたものである。この開口部は、図２のものに比べて幅が狭くスリット状に形成され、このスリット状開口部の長手方向の向きが図２の開口部とは異なる。このパン用排水孔２２を構成するスリット状開口部により、図２の開口部よりもより細かいゴミの排出を防止できる。
【００１２】
【発明の効果】
以上説明したように、この発明では、バスタブとその下方に設置したタブ防水パンとからの排水を行う浴室ユニットの排水構造において、バスタブからの排水とタブ防水パンからの排水とを行うタブ用排水孔とパン用排水孔とが形成された逆流防止本体部と、この逆流防止本体部の下面に取付けられタブ用排水孔とパン用排水孔とを交互に閉じることができ常時はタブ用排水孔を閉じておく閉塞板とを備え、前記閉塞板は中間部で折り曲げられ、この折曲部が本体部の下面に揺動可能に支持されたものである。従って、バスタブ内に水が溜まっている状況ではタブ防水パンからの排水が行われ、さらにバスタブや洗い場を掃除する場合に、バスタブの水を排水し終えたのちに洗い場に大量の水を流した場合、この水が逆流してバスタブ内に入り込む恐れはなくなる。また、逆流防止本体部には中間部が折り曲げられた閉塞板の折曲部が揺動可能に取付けてあり、これをタブ防水パン排水開口に取付けるだけでよく、浴室ユニットの排水構造を簡単に組み付けることができる。さらに、閉塞板はその折曲部から一方の部分が他方の部分よりも重く形成されているので、常時タブ用排水孔を閉じておくことがきわめて簡単な構造で実現できる。さらにまた、パン用排水孔を単一の比較的大きな孔ではなく、複数の開口部から構成することにより、夫々の開口部よりも大きいゴミの排出を防止することができる。
【００１３】
また、洗い場の排水部にトラップを設け、このトラップにタブ防水パンの排水開口に設けたエルボからの排水を導入し、エルボの受け入れ口に請求項１ないし４のいずれか１項に記載の閉塞板を備えた逆流防止本体部を取付けたものでは、上述した効果の他に床面からタブ防水パンまでの高さを低くし、浴室空間の拡大及びバリアフリーを実現できる。
【図面の簡単な説明】
【図１】この発明の好適な実施例を示す要部の断面図。
【図２】逆流防止本体部の平面図。
【図３】図２の正面図。
【図４】タブ防水パンからの排水状態を示す簡略断面図。
【図５】バスタブからの排水状態を示す簡略断面図。
【図６】逆流防止本体部の他の例を示す平面図。
【図７】従来例を示す断面図。
【図８】従来例の排水構造部分を示す断面図。
【符号の説明】
１  バスタブ
２  タブ防水パン
３  排水開口
４  エルボ
６  トラップ
７  洗い場
２０  逆流防止本体部
２１  タブ用排水孔
２２  パン用排水孔
３０  閉塞板
３１  折曲部
３０Ａ，３０Ｂ  閉塞部
【図１】
0004365504.tif 000002
【図２】
0004365504.tif 000003
【図３】
0004365504.tif 000004
【図４】
0004365504.tif 000005
【図５】
0004365504.tif 000006
【図６】
0004365504.tif 000007
【図７】
0004365504.tif 000008
【図８】
0004365504.tif 000009